(57)【要約】【課題】筆記具の出し入れに際して余計な力を要しないながらも筆記具を安定に固定でき、該筆記具，衣類または筆記具収容部付き名札の何れにも負荷や損傷を与えず、社員証等を判然と提示できる、シンプルな構成の筆記具収容部付き名札を提供する。【解決手段】略平板状の支持部材１の長手方向の一端に略平板状のストッパー部２が設けられていて、長手方向の他端付近には、ストッパー部２と同じ面には略コ字状の上方保持部３が、及びストッパー部２と相対する面には互いにほぼ平行な２平面を有する名札部５がそれぞれ取り付けられていて、ストッパー部２が支持部材１と共に略レ字状の側断面を形成してなることを特徴とする筆記具収容部付き名札であって、上方保持部３とストッパー部２との間に、略コ字状の下方保持部４が更に取り付けられていても良い。【選択図】図１
0003129088.tif 000002
【実用新案登録請求の範囲】
【請求項１】
略平板状の支持部材の長手方向の一端に略平板状のストッパー部が設けられていて、長手方向の他端付近には、ストッパー部と同じ面には略コ字状の上方保持部が、及びストッパー部と相対する面には互いにほぼ平行な２平面を有する名札部がそれぞれ取り付けられていて、ストッパー部が支持部材と共に略レ字状の側断面を形成してなることを特徴とする筆記具収容部付き名札。
【請求項２】
支持部材のストッパー部が設けられた面の、上方保持部とストッパー部との間に、略コ字状の下方保持部が更に取り付けられてなることを特徴とする、請求項１に記載の筆記具収容部付き名札。
【考案の詳細な説明】
【技術分野】
【０００１】
本考案は、筆記具の収容部を有する、衣類のポケットの開口縁部に掛ける型の名札に関する。
【背景技術】
【０００２】
勤務中に企業等の従業者が社員証や名刺等（以下、社員証等と称する）を身に付けたり、学会，展示会又は研修等で氏名や所属を記した紙を身に付けたりして、身分を表すために、名札が使用される。近年、個人認証用の情報を記録した、磁気カードやＩＣチップを兼ねる社員証等が出現し、名札の需要は増してきている。布や紐等で首から吊下げる型や、ピンやクリップで衣類に取り付ける型等様々な型のものが存在するが、着脱容易で衣類を傷めることの無い点で、衣類のポケットの開口縁部に掛ける型が有用である。
【０００３】
衣類のポケットには、ボールペン，万年筆，シャープペンシル等の筆記具を入れることも多いが、筆記具の先端が触れてポケットの内部を汚すことがある。また、筆記具をポケットに入れる際にはポケットの開口縁部に掛けるのが一般的であり、それによってポケットの開口縁部が筆記具の重みによって前方へ垂れ下がり、だらしない印象を与えることもあった。ポケットの開口縁部に掛ける型の名札と共に筆記具を開口縁部に掛けると、ポケットが一杯に塞がり、雑然とした印象を与えるだけでなく、筆記具の出し入れがし難い問題点があった。
これらの問題点を解消するために、名札のポケット内部に嵌入される部分に、筆記具の収容部を設けた発明又は考案が、開示されている。
【０００４】
例えば、特許文献１には、衣服の胸ポケット内に嵌入する筆記具等収納ケース部と、その筆記具等収納ケース部の上端に衣服の胸ポケットの上方へ突出するように一体的に連設した名札用紙収納ポケット部とからなる名札が開示されている。
特許文献２には、名札本体に逆Ｕ字型の変形した固定板の下部に筆記具の先端を固定する溝孔をあけた固定台を付し、なお、固定板にコの字型に曲折した針金の各々一端をさし込み、その針金にゴム板を被覆した一辺を接着液で張り付けたことを特徴とする名札付筆記具固定装置が開示されている。
【０００５】
【特許文献１】実開平６−８７９８１号公報
【特許文献２】特開平９−１７５０８１号公報
【考案の開示】
【考案が解決しようとする課題】
【０００６】
しかしながら、上記特許文献１は、考案に係る名札における前面シートと後面シートの間の単なる隙間を、筆記具等収納ケース部と称している。筆記具を収容する際には、狭い筆記具等収納ケース部に、摩擦力に抗して筆記具をねじ込む様にして入れねばならない。逆に、筆記具を取り出す際には、摩擦力に抗して筆記具を引張り出す必要がある。筆記具の出し入れの度に力を加える必要があり不便である上、名札にも負荷が掛かって変形又は損傷し易く、使用に堪えない。
また、名札用紙収納ポケット部が後面シート上端付近に設けられていて、舌状体の上端は、名札用紙収納ポケット部の上下略中央部の高さにまで達している。前記舌状体は、衣服の胸ポケットの開口縁部に名札を掛けるために設けられたものであるから、名札用紙収納ポケット部の下半部は衣服の胸ポケットに隠れてしまう。筆記具等収納ケース部が名札用紙収納ポケット部の前に設けられていて、且つ筆記具のクリップを舌状体の上端に掛ける様にして筆記具を筆記具等収納ケース部に収容するから、筆記具によっても名札用紙収納ポケット部が隠れてしまう。したがって、名札用紙収納ポケット部に入れた名札用紙のおよそ半分以上が隠れてしまうため、名札としての用をなさない。
【０００７】
特許文献２に記載の名札付筆記具固定装置は、補助板とゴム板で筆記具を挟むと同時に、溝孔に筆記具の先端をさし込むことによって、筆記具を固定するものである。しかしながら、使用者が動くことによって筆記具の先端が溝孔から容易に外れるため、筆記具を固定することはできない。ゴム板と補助板とが筆記具を挟む力を強くして名札付筆記具固定装置を作製すると、筆記具の先端が溝孔から外れることを防ぐことはできるものの、筆記具の出し入れに際して使用者が多大な力を必要とする上に、筆記具又は名札付筆記具固定装置に負荷が掛かり損傷を早めてしまう。
また、特許文献２に記載の名札付筆記具固定装置には針金が用いられており、針金の尖端が衣類に引っ掛かるなどして、衣類が傷付けられる虞がある。
更に、特許文献２には、社員証等を差し込んで収容することについては、何ら示唆されていない。使用者の氏名等を名札本体に印刷又は刻字することはできても、社員証等を差し込むことはできないため、使用者各人毎に作製する必要がある。該特許文献に記載の名札付筆記具固定装置は、込み入った構成であるために容易に作製できないから、大量生産にも不向きで安価に作れない。
【０００８】
上記問題点に鑑み、本考案は、筆記具の出し入れに際して余計な力を要しないながらも筆記具を安定に固定でき、筆記具，衣類又は筆記具収容部付き名札の何れにも負荷や損傷を与えず、社員証等を判然と提示できる、シンプルな構成の筆記具収容部付き名札を提供することを課題とする。
【課題を解決するための手段】
【０００９】
上記課題を解決するために、本考案の請求項１記載の筆記具収容部付き名札は、略平板状の支持部材の長手方向の一端に略平板状のストッパー部が設けられていて、長手方向の他端付近には、ストッパー部と同じ面には略コ字状の上方保持部が、ストッパー部と相対する面には互いにほぼ平行な２平面を有する名札部がそれぞれ取り付けられていて、ストッパー部が支持部材と共に略レ字状の側断面を形成してなることを特徴としている。
【００１０】
請求項２に記載の考案は、請求項１に記載の筆記具収容部付き名札であって、支持部材のストッパー部が設けられた面の、上方保持部とストッパー部との間に、略コ字状の下方保持部が更に取り付けられてなることを特徴としている。
【００１１】
支持部材と名札部のそれぞれのほぼ上端部が接合されてなる係止部を、衣類のポケットの開口縁部に掛け、支持部材をポケット内に挿入する。社員証等を、名札部に差し込んで提示する。筆記具を収容する場合には、上方保持部と支持部材との間及び下方保持部と支持部材との間を通し、上方保持部に筆記具のクリップを掛け、筆記具の先端がストッパー部に接する様にして収容する。
【考案の効果】
【００１２】
本考案の筆記具収容部付き名札は、支持部材と上方保持部とのなす間隔が、筆記具の外径よりも広いため、筆記具の出し入れに際して必要以上の力を必要としない。上方保持部に筆記具のクリップを掛け、ストッパー部で筆記具先端を支えることによって、筆記具を安定に固定できる。筆記具の出し入れに際して過剰な負荷が掛からず、筆記具又は本考案に係る筆記具収容部付き名札に損傷を与えることを回避できる。
【００１３】
本考案は衣類のポケットの開口縁部に掛ける型の名札であり、ピンやクリップで名札を取り付けることによって、衣類を傷める虞が無い。針金等を含まない構成であるから、針金等の先端が引っ掛かることによって衣類を傷める虞も無く、本考案を取り付けるに際しても、衣類に対する損傷を回避できる。
【００１４】
係止部が支持部材と名札部の間に設けられているから、本考案を使用する際、名札部は、衣類のポケットの手前に位置する。ポケットや筆記具によって名札部が隠れず、よって名札部に挿入された社員証等も隠れない。名札部の前方板が透明又は半透明であり、社員証等を判然と提示することができる。
【００１５】
本考案に係る筆記具収容部付き名札は、シンプルな形状であり、合成樹脂等による成型も容易で、安価に作製することができる。
【００１６】
更に略コ字状の下方保持部が取り付けられてなる、本考案の筆記具収容部付き名札は、収容した筆記具がより安定に固定され、特に左右方向に安定に固定される。筆記具のクリップが上方保持部に係止された部分を支点として、筆記具が揺動することを避けられるから、筆記具がより整然と収容される。筆記具の先端がストッパー部から外れることによってポケット内部が汚れることも、より確実に回避される。
【考案を実施するための最良の形態】
【００１７】
以下に、本考案を実施するための最良の形態を、実施例を示す図面を参照して詳細に説明する。尚、本実施例に、本考案は限定されるものではない。
【実施例１】
【００１８】
図１は、実施例１の筆記具収容部付き名札の全体斜視図である。図２は、実施例１の筆記具収容部付き名札の使用例を示す側断面図である。
【００１９】
本考案に係る筆記具収容部付き名札は、図１及び図２に示す様に、略平板状の支持部材１の長手方向の一端に略平板状のストッパー部２が設けられていて、長手方向の他端付近には、ストッパー部２と同じ面には略コ字状の上方保持部３が、及びストッパー部２と相対する面には互いにほぼ平行な２平面を有する名札部５がそれぞれ取り付けられていて、ストッパー部２が支持部材１と共に略レ字状の側断面を形成している。
【００２０】
本考案に係る筆記具収容部付き名札は、容易に屈曲できない程度の剛性を持つ材質で作製される。支持部材１，ストッパー部２，上方保持部３，下方保持部４及び名札部５の各部材は、部材ごとに材質が選ばれ、全ての部材が同一の材質で作製されていても、他の部材と異なる材質で作製されていても良い。好ましい材質として熱可塑性合成樹脂が用いられ、ポリプロピレン，ポリエチレンテレフタレート，ポリスチレン，ポリメタクリル酸エステル，ポリカーボネート，ＡＢＳ樹脂又はポリ塩化ビニルが特に好適である。熱可塑性合成樹脂を用いて成型する場合、強度及び使い勝手等を考慮し、厚み０．２〜２．０ｍｍ程度で作製することが好ましい。
【００２１】
支持部材１は、略平板状の部材である。長手方向の一端には、略平板状のストッパー部２が設けられている。長手方向の他端には、ストッパー部２と同一面には上方保持部３が、ストッパー部２と相対する面には名札部５がそれぞれ形成されて設けられている。
【００２２】
ストッパー部２は、支持部材１の長手方向の一端に設けられていて、支持部材１と共に略レ字状の側断面を形成している。本実施例では、支持部材１の長手方向の一端が鋭角を成す様に曲げられて形成されているが、支持部材１とは別に作製された板状部材が接着剤等で接合されていても良い。
ストッパー部２は、収容された筆記具６を支え、筆記具６を固定することに寄与する。また、筆記具６の先端がストッパー部２と接していて、本考案を取り付けた衣類のポケット７の内部と直接触れないから、ポケット７の内部が汚れることを回避できる。
【００２３】
上方保持部３は、支持部材１の長手方向における、ストッパー部２が設けられた面の、ストッパー部２が設けられた端部とは逆の端部付近に設けられている。上方保持部３は略コ字状に形成されていて、支持部材１と上方保持部３との間隔は、筆記具の外径より広く形成されている。
本実施例では、上方保持部３の両末端付近が、ほぼ直角に曲げられ支持部材１と接着剤等を用いて接合されているが、上方保持部３は必ずしも支持部材１と別に作製される必要は無く、両者が一体として成型されていても良い。
上方保持部３は、本考案に筆記具６を収容するための枠として機能する他、クリップ６ａを係止して筆記具６を固定する役割を持つ。支持部材１と上方保持部３との間隔が、筆記具の外径より広く形成されているから、筆記具６の出し入れに際して余計な力を必要とせず、筆記具６及び本考案に過剰な負荷や損傷を与える虞が無い。
【００２４】
下方保持部４は、支持部材１の長手方向における、ストッパー部２と上方保持部３との間に設けられている。下方保持部４は略コ字状に形成されていて、支持部材１と下方保持部４との間隔は、筆記具の外径より広く形成されている。
本実施例では、下方保持部４の両末端付近が、ほぼ直角に曲げられ支持部材１と接着剤等で接合されているが、下方保持部４は必ずしも支持部材１と別に作製される必要は無く、両者が一体として成型されていても良い。下方保持部４の形状及び寸法は、上方保持部３とほぼ同等であることが望ましい。
【００２５】
本考案に筆記具６を収容する際には、支持部材１と上方保持部３との間及び支持部材１と下方保持部４との間を通し、ストッパー部２に筆記具６の先端が当るまで入れ、クリップ６ａを上方保持部３に掛ける様にして固定する。支持部材１と下方保持部４との間隔が、筆記具の外径より広く形成されているから、筆記具６の出し入れに際して余計な力を必要とせず、筆記具６及び本考案は過剰な負荷や損傷を受けない。
下方保持部４が設けられていると、ストッパー部２及び上方保持部３のみで筆記具６を固定するのに比べ、より安定に筆記具６が固定される。特に左右方向への動きが制約され、安定する。上方保持部３に筆記具６のクリップ６ａを掛けていたとしても、使用者が動くことによってクリップ６ａと上方保持部３との接点を支点として筆記具６が揺動してしまう虞があるが、下方保持部４が設けられていると、筆記具６の揺動が抑えられ整然と収容された状態を維持できる。筆記具の先端がストッパー部２から外れ、それによってポケット７の内部が汚れることも回避できる。
【００２６】
支持部材１の長手方向におけるストッパー部２とは逆の端部付近の、ストッパー部２と相対する面に、名札部５が設けられている。本実施例では、支持部材１と繋がった、支持部材１の短手方向の幅よりも広い幅の板状部材が曲げられて作製されている。しかし、必ずしも支持部材１と一体に作製される必要はなく、支持部材１と別に作製された名札部５が、接着剤等で支持部材１に接合されていても良い。
名札部５は、互いにほぼ平行な２つの略平板、即ち前方板５ａ及び後方板５ｂが、各々の下端の左右方向全部において連設された形状であって、後方板５ｂの上端が前方板５ａの上端よりも高く作製されている。後方板５ｂは、その上端の少なくとも一部が支持部材１の上端と係止部５ｃで連設されている。
名札部５は、透明又はほぼ透明な材質で作製され、支持部材１の短手方向の幅より広い幅を持つ。特定の幅及び高さを有する社員証等８のみが収容される場合には、名札部５の幅及び高さは、社員証等８の幅及び高さとほぼ等しく作製されていても良い。
後方板５ｂは、その左右方向の端部の少なくとも一方において、上下略中央部付近に切り欠き５ｄが形成されている。切り欠き５ｄの形状は限定されないが、略半円形であることが好ましい。
【００２７】
係止部５ｃを開口縁部７ａに掛け、支持部材１を衣類のポケット７内に挿入するようにして、本考案をポケット７に取り付ける。
本考案は、布や紐等で首から吊下げる型でもピンやクリップで衣類に取り付ける型でもなく、ポケット７の開口縁部７ａに係止する型であるから、装着・取り外しが容易であるし、ピンやクリップ等によって衣類を傷付ける虞が無い。
本考案を使用すると、筆記具６を直接開口縁部７ａに掛ける必要が無く、また支持部材１によってポケット７が裏打ちされた状態となるから、筆記具６の出し入れも容易であるし、筆記具６を直接ポケット７の開口縁部７ａに掛けることにより開口縁部７ａがだらしなく垂れ下がる虞が無い。逆に、筆記具６が整然と収容された状態を維持できるから、本考案の使用者は他者に対して好印象を与えることができる。
【００２８】
社員証等８は、名札部５の２つの略平板、即ち前方板５ａ及び後方板５ｂの間に収容される。名札部５は、透明又はほぼ透明な材質でできているから、収容された社員証等８は判然と提示される。
前方板５ａは、その上端が後方板５ｂの上端よりも低く設けられているから、その高低差を利用して容易に社員証等８を挿入できる。また、切り欠き５ｄが設けられているから、社員証等８を取り出すことも容易である。
【００２９】
上述の通り、本考案はシンプルな構成であって、合成樹脂等による成型も容易で大量生産にも向き、安価に提供することができる。
【実施例２】
【００３０】
図３は、実施例２の筆記具収容部付き名札の全体斜視図である。
【００３１】
本考案の別の実施形態によれば、支持部材１，ストッパー部２，上方保持部３及び下方保持部４が一体として成型され、別途作製された名札部５と接合されている。
【００３２】
支持部材１は、略平板状の部材であって、長手方向の一端には、略平板状のストッパー部２が設けられている。長手方向の他端には、ストッパー部２と同一面には上方保持部３が設けられていて、ストッパー部２と相対する面には名札部５が形成されて設けられている。
【００３３】
略平板状のストッパー部２は、支持部材１の長手方向の一端が鋭角を成す様に曲げられて形成されていて、支持部材１と一体として略レ字状の側断面を形成している。本実施例では、支持部材１の長手方向の一端が曲げられて形成されているが、支持部材１とは別に作製された板状部材が、接着剤等で接合されていても良い。
【００３４】
上方保持部３は、支持部材１の長手方向における、ストッパー部２が設けられた面の、ストッパー部２が設けられた端部とは逆の端部付近に設けられている。上方保持部３は略コ字状の形状であって、その両末端が支持部材１の短手方向における両端付近と接する様に、支持部材１と一体として成型されている。上方保持部３と接合部５ｅとの間隔は、筆記具の外径より広く形成されている。
【００３５】
下方保持部４は、支持部材１の長手方向における、ストッパー部２と上方保持部３との間に設けられている。下方保持部４は略コ字状の形状であって、その両末端が支持部材１の短手方向における両端付近と接する様に、支持部材１と一体として成型されている。支持部材１と下方保持部４との間隔は、筆記具の外径より広く形成されている。
【００３６】
支持部材１の長手方向におけるストッパー部２とは逆の端部付近の、ストッパー部２と相対する面に、名札部５が形成されて設けられている。
該名札部５は、互いにほぼ平行な３つの略平板、即ち前方板５ａ，後方板５ｂ及び接合部５ｅを有し、前方板５ａと後方板５ｂが各々の下端の左右方向全部において連設され、且つ接合部５ｅの上端の左右方向全部が後方板５ｂの上端と係止部５ｃによって連設された形状である。接合部５ｅの左右方向の幅は支持部材１よりも短く形成されていて、接合部５ｅの後方板５ｂと対向する平面が、支持部材１の背面における上端付近に接着材等によって接合されている。
特定の幅及び高さを有する社員証等８のみが収容される場合には、名札部５の幅及び高さは、社員証等８の幅及び高さとほぼ等しく作製されていても良い。
後方板５ｂは、その左右方向の端部の少なくとも一方において、上下略中央部付近に切り欠き５ｄが形成されている。切り欠き５ｄの形状は限定されないが、略半円形であることが好ましい。
【００３７】
上述の通り、本考案はシンプルな構成であって、合成樹脂等による成型も容易で大量生産にも向き、安価に提供することができる。
【図面の簡単な説明】
【００３８】
【図１】実施例１の筆記具収容部付き名札の全体斜視図である。
【図２】実施例１の筆記具収容部付き名札の使用例を示す側断面図である。
【図３】実施例２の筆記具収容部付き名札の全体斜視図である。
【符号の説明】
【００３９】
１  支持部材
２  ストッパー部
３  上方保持部
４  下方保持部
５  名札部
５ａ  前方板
５ｂ  後方板
５ｃ  係止部
５ｄ  切り欠き
５ｅ  接合部
６  筆記具
６ａ  クリップ
７  ポケット
７ａ  開口縁部
８  社員証等
【図１】
0003129088.tif 000003
【図２】
0003129088.tif 000004
【図３】
0003129088.tif 000005